(57)【特許請求の範囲】
【請求項１】
種々のデータを記録可能な記録メディアが装着される装着部を備える外部装置と、
前記外部装置との間で、データの送受信を行う通信手段を備える複数の情報処理端末と、からなる情報処理システムにおいて、
前記情報処理端末は、
当該情報処理端末固有の識別情報を格納する記憶手段と、
前記装着部に対する前記記録メディアの装着状況を示すステータス情報と、前記装着部に装着された記録メディアに関する情報の通知先を示す通知先識別情報とを含み得るメディア情報を、前記外部装置に対して繰り返して要求する情報要求手段と、
前記外部装置は、
前記情報処理端末の情報要求手段からの要求に伴って、前記メディア情報を当該情報処理端末へ出力する情報出力手段とを有し、
前記情報処理端末は、
前記外部装置から前記メディア情報を取得した場合に、当該メディア情報に含まれる前記ステータス情報に基づいて、前記装着部に前記記録メディアが装着されているか否かを判定する装着状況判定手段と、
前記外部装置から前記メディア情報を取得した場合、当該メディア情報に含まれる前記通知先識別情報が、前記記憶手段に格納されている識別情報と一致するか否かを判定する判定手段と、
前記装着状況判定手段により、前記装着部に前記記録メディアが装着されていると判定され、且つ、前記判定手段により、前記通知先識別情報と、前記記憶手段に格納されている識別情報が一致すると判定された場合にのみ、前記装着部に装着された記録メディアに関する通知を実行する通知実行手段と、を備えることを特徴とする情報処理システム。
【請求項２】
請求項１記載の情報処理システムにおいて、
前記情報処理端末は、
種々の情報を表示可能な表示手段を備え、
前記通知実行手段は、
前記記録メディアに格納されているデータを対象として実行する処理を選択可能な選択画面を、前記表示手段に表示することを特徴とする情報処理システム。
【請求項３】
請求項１又は請求項２記載の情報処理システムにおいて、
前記情報処理端末は、
前記外部装置から取得したメディア情報を保持する保持手段と、
前記外部装置から新たに取得したメディア情報が、前記保持手段に保持されている最新のメディア情報と相違するか否かを判断する判断手段と、
前記判断手段により、前記外部装置から新たに取得したメディア情報が前記保持手段に保持されている最新のメディア情報と相違する場合にのみ、前記装着部に装着された記録メディアに関する通知を実行するように、前記通知実行手段を制御する通知制御手段と、を備えることを特徴とする情報処理システム。
【請求項４】
請求項３記載の情報処理システムにおいて、
前記通知制御手段は、
前記判定手段により、前記通知先識別情報が前記メディア情報に含まれていないことを検出した場合、当該メディア情報に係る記録メディアに対する前記通知先識別情報の入力を要求する通知先要求通知を実行するように、前記通知実行手段を制御することを特徴とする情報処理システム。
【請求項５】
請求項４記載の情報処理システムにおいて、
前記情報処理端末は、
種々の情報を表示可能な表示手段と、
ユーザによる操作が行われる操作手段と、
前記通信手段を介して、外部装置に対して種々の指示を送信する指示手段を備え、
前記通知実行手段は、
当該記録メディアの所有者であるか否かを確認する確認メッセージと、
当該記録メディアの所有者であるか否かが入力される応答指示部と、を前記表示手段に表示し、前記通知先要求通知を行い、
前記指示手段は、
前記操作手段の操作により前記応答指示部に対して、当該記録メディアの所有者であることが入力された場合、前記記憶手段に格納されている識別情報を、前記通知先識別情報として当該記録メディアに書き込むことを指示する第１書込指示を、前記通信手段を介して前記外部装置に送信すると共に、
前記外部装置は、
前記記録メディアに所定の情報を書き込む書込手段と、
前記第１書込指示を受信した場合に、前記通信先識別情報として、当該識別情報を当該記録メディアに書き込むように前記書込手段を制御する書込制御手段と、を備えることを特徴とする情報処理システム。
【請求項６】
請求項５記載の情報処理システムにおいて、
前記通知制御手段は、
前記確認メッセージ及び前記応答指示部が前記表示手段に表示されている場合に、前記外部装置から取得したメディア情報が通知先識別情報を含み、且つ、当該通知先情報が前記記憶手段に格納された識別情報と相違することを条件に、
前記表示手段に表示されている確認メッセージ及び応答指示部の表示を消去するように前記通知実行手段を制御することを特徴とする情報処理システム。
【請求項７】
請求項５又は請求項６記載の情報処理システムにおいて、
前記通知制御手段は、
前記操作手段の操作により、前記応答指示部に対して、当該記録メディアの所有者であることが入力された場合、前記表示手段に前記選択画面を表示するように、前記通知実行手段を制御することを特徴とする情報処理システム。
【請求項８】
請求項７記載の情報処理システムにおいて、
前記情報処理端末は、
前記選択画面に対するユーザの操作に基づいて、前記選択画面に表示された処理内容から、記録メディアに格納されているデータを対象として実行する処理内容を特定する処理内容特定手段と、を備え、
前記指示手段は、
前記処理内容特定手段により特定された処理内容を示す処理内容指定情報を当該記録メディアに書き込むことを指示する第２書込指示を、前記通信手段を介して前記外部装置に送信すると共に、
前記書込制御手段は、
前記第２書込指示を受信した場合に、前記メディア情報として、前記処理内容指定情報を当該記録メディアに書き込むように前記書込手段を制御することを特徴とする情報処理システム。
【請求項９】
種々のデータを記録可能な記録メディアが装着される装着部を備える外部装置との間で、データの送受信を行う通信手段と、
当該情報処理端末固有の識別情報を格納する記憶手段と、
前記装着部に対する前記記録メディアの装着状況を示すステータス情報と、前記装着部に装着された記録メディアに関する情報の通知先を示す通知先識別情報とを含み得るメディア情報を、前記外部装置に対して繰り返して要求する情報要求手段と、
前記情報要求手段の要求に伴って、前記外部装置から出力されたメディア情報を取得した場合に、当該メディア情報に含まれる前記ステータス情報に基づいて、前記装着部に前記記録メディアが装着されているか否かを判定する装着状況判定手段と、
前記情報要求手段の要求に伴って、前記外部装置から出力されたメディア情報を取得した場合に、当該メディア情報に含まれる前記通知先識別情報が、前記記憶手段に格納されている識別情報と一致するか否かを判定する判定手段と、
前記装着状況判定手段により、前記装着部に前記記録メディアが装着されていると判定され、且つ、前記判定手段により、前記通知先識別情報と、前記記憶手段に格納されている識別情報が一致すると判定された場合にのみ、前記装着部に装着された記録メディアに関する通知を実行する通知実行手段と、を備えることを特徴とする情報処理端末。
【請求項１０】
請求項９記載の情報処理端末において、
種々の情報を表示可能な表示手段を備え、
前記通知実行手段は、
前記記録メディアに格納されているデータを対象として実行する処理を選択可能な選択画面を、前記表示手段に表示することを特徴とする情報処理端末。
【請求項１１】
請求項９又は請求項１０記載の情報処理端末において、
前記外部装置から取得したメディア情報を保持する保持手段と、
前記外部装置から新たに取得したメディア情報が、前記保持手段に保持されている最新のメディア情報と相違するか否かを判断する判断手段と、
前記判断手段により、前記外部装置から新たに取得したメディア情報が前記保持手段に保持されている最新のメディア情報と相違する場合にのみ、前記装着部に装着された記録メディアに関する通知を実行するように、前記通知実行手段を制御する通知制御手段と、を備えることを特徴とする情報処理端末。
【請求項１２】
請求項１１記載の情報処理端末において、
前記通知制御手段は、
前記判定手段により、前記通知先識別情報が前記メディア情報に含まれていないことを検出した場合、当該メディア情報に係る記録メディアに対する前記通知先識別情報の入力を要求する通知先要求通知を実行するように、前記通知実行手段を制御することを特徴とする情報処理端末。
【請求項１３】
種々のデータを記録可能な記録メディアが装着される装着部を備える外部装置との間で、データの送受信を行う通信手段と、情報処理端末固有の識別情報を格納する記憶手段と、種々の通知を行い得る通知手段と、を備える情報処理端末の制御プログラムにおいて、
前記装着部に対する前記記録メディアの装着状況を示すステータス情報と、前記装着部に装着された記録メディアに関する情報の通知先を示す通知先識別情報とを含み得るメディア情報を、前記外部装置に対して繰り返して要求する情報要求ステップと、
前記要求に伴って、前記外部装置から出力されたメディア情報を取得した場合に、当該メディア情報に含まれる前記ステータス情報に基づいて、前記装着部に前記記録メディアが装着されているか否かを判定する装着状況判定ステップと、
前記要求に伴って、前記外部装置から出力されたメディア情報を取得した場合に、当該メディア情報に含まれる前記通知先識別情報が、前記記憶手段に格納されている識別情報と一致するか否かを判定する判定ステップと、
前記装着部に前記記録メディアが装着されていると判定され、且つ、前記通知先識別情報と、前記記憶手段に格納されている識別情報が一致すると判定された場合にのみ、前記装着部に装着された記録メディアに関する通知を実行する通知実行ステップと、を備えることを特徴とする情報処理端末の制御プログラム。
【請求項１４】
請求項１３記載の情報処理端末の制御プログラムにおいて、
前記通知先識別情報が前記メディア情報に含まれていないことを検出した場合、当該メディア情報に係る記録メディアに対する前記通知先識別情報の入力を要求する通知先要求通知を実行する入力要求ステップと、を備えることを特徴とする情報処理端末の制御プログラム。
【発明の詳細な説明】
【技術分野】
【０００１】
本発明は、記録メディアが装着される装着部を備える外部装置と、複数の情報処理端末と、からなる情報処理システム、情報処理端末及び情報処理端末の制御プログラムに関し、前記装着部に装着された記録メディアに関する通知を行い得る情報処理システム、情報処理端末及び情報処理端末の制御プログラムに関する。
【背景技術】
【０００２】
従来、記録媒体が装着される外部装置と、当該外部装置と接続された単一の情報処理端末と、を備える情報処理システムが知られている。そして、このような情報処理システムは、外部装置に対する記録媒体の装着状態が変更されると、前記情報処理端末において、当該外部装置における記録媒体の装着状態の変更を通知するように構成されているものがある。
【０００３】
上記のような情報処理システムの一つとして、特許文献１に記載された発明が知られている。この特許文献１には、パーソナルコンピュータと、当該パーソナルコンピュータに外部接続されたＣＤ−ＲＯＭドライブと、からなる情報処理システムが記載されている。この特許文献１記載の情報処理システムでは、パーソナルコンピュータは、ＣＤ−ＲＯＭドライブに対して、ＣＤ−ＲＯＭの装着状態を示す情報を周期的に要求する。当該要求に対して、ＣＤ−ＲＯＭドライブは、ＣＤ−ＲＯＭの装着状態を示す情報をパーソナルコンピュータに送信する。この情報を受信することにより、パーソナルコンピュータは、ＣＤ−ＲＯＭの装着状態をユーザに通知する。
【特許文献１】特開２００５−２０９２８８号公報
【発明の開示】
【発明が解決しようとする課題】
【０００４】
近年、フラッシュメモリ等の記憶装置を備えるメモリカード等の記録メディアが広く普及している。又、ネットワーク化も進み、多くの情報処理端末が、一の外部装置（例えば、プリンタ、ファクシミリ装置、多機能周辺装置（Multi Function Peripheral）等）に接続され得る。このように、一の外部装置に対して、複数の情報処理端末が接続されて構成される情報処理システムでは、当該外部装置に装着された記録メディアを、或る情報処理端末を使用するユーザのみが使用する場合も生じ得る。
【０００５】
この点、上記特許文献１記載の情報処理システムは、ＣＤ−ＲＯＭドライブと、パーソナルコンピュータが、一対一で外部接続されて構成されている。ここで、特許文献記載の発明を、一の外部装置に複数の情報処理端末が接続されてなる情報処理システムに適用した場合について考察する。この場合、外部装置における記録メディアの装着状態が変更されると、当該外部装置に接続されている全ての情報処理端末は、記録メディアの装着状態の変更をユーザに通知することになる。
【０００６】
上述したように、記録メディアを使用するユーザは特定されることが多い。即ち、一の外部装置に対して、複数の情報処理端末が接続された情報処理システムに、上記特許文献１記載の発明を適用した場合、当該記録メディアを使用する予定のない他のユーザ（つまり、他の情報処理端末）に対しても、記録メディアの装着状態に関する通知が行われる。当該通知は、他のユーザにとって、情報処理端末における作業の妨げとなってしまう。
【０００７】
本発明は、前記従来における問題点を解消するためになされたものであり、記録メディアが装着される外部装置と、複数の情報処理端末と、を有する情報処理システム、情報処理端末及び情報処理端末の制御プログラムに関し、特に、外部装置における記録メディアの装着状態等を適切に通知すると共に、当該記録メディアに関する処理を行い得る情報処理システム、情報処理端末及び情報処理端末の制御プログラムを提供することを目的とする。
【課題を解決するための手段】
【０００８】
前記課題を解決するために成された請求項１に係る情報処理システムは、種々のデータを記録可能な記録メディアが装着される装着部を備える外部装置と、前記外部装置との間で、データの送受信を行う通信手段を備える複数の情報処理端末と、からなる情報処理システムにおいて、前記情報処理端末は、当該情報処理端末固有の識別情報を格納する記憶手段と、前記装着部に対する前記記録メディアの装着状況を示すステータス情報と、前記装着部に装着された記録メディアに関する情報の通知先を示す通知先識別情報とを含み得るメディア情報を、前記外部装置に対して繰り返して要求する情報要求手段と、前記外部装置は、前記情報処理端末の情報要求手段からの要求に伴って、前記メディア情報を当該情報処理端末へ出力する情報出力手段とを有し、前記情報処理端末は、前記外部装置から前記メディア情報を取得した場合に、当該メディア情報に含まれる前記ステータス情報に基づいて、前記装着部に前記記録メディアが装着されているか否かを判定する装着状況判定手段と、前記外部装置から前記メディア情報を取得した場合、当該メディア情報に含まれる前記通知先識別情報が、前記記憶手段に格納されている識別情報と一致するか否かを判定する判定手段と、前記装着状況判定手段により、前記装着部に前記記録メディアが装着されていると判定され、且つ、前記判定手段により、前記通知先識別情報と、前記記憶手段に格納されている識別情報が一致すると判定された場合にのみ、前記装着部に装着された記録メディアに関する通知を実行する通知実行手段と、を備えることを特徴とする。
【０００９】
又、請求項２に係る情報処理システムは、請求項１記載の情報処理システムにおいて、前記情報処理端末は、種々の情報を表示可能な表示手段を備え、前記通知実行手段は、前記記録メディアに格納されているデータを対象として実行する処理を選択可能な選択画面を、前記表示手段に表示することを特徴とする。
【００１０】
そして、請求項３に係る情報処理システムは、請求項１又は請求項２記載の情報処理システムにおいて、前記情報処理端末は、前記外部装置から取得したメディア情報を保持する保持手段と、前記外部装置から新たに取得したメディア情報が、前記保持手段に保持されている最新のメディア情報と相違するか否かを判断する判断手段と、前記判断手段により、前記外部装置から新たに取得したメディア情報が前記保持手段に保持されている最新のメディア情報と相違する場合にのみ、前記装着部に装着された記録メディアに関する通知を実行するように、前記通知実行手段を制御する通知制御手段と、を備えることを特徴とする。
【００１１】
又、請求項４に係る情報処理システムは、請求項３記載の情報処理システムにおいて、前記通知制御手段は、前記判定手段により、前記通知先識別情報が前記メディア情報に含まれていないことを検出した場合、当該メディア情報に係る記録メディアに対する前記通知先識別情報の入力を要求する通知先要求通知を実行するように、前記通知実行手段を制御することを特徴とする。
【００１２】
そして、請求項５に係る情報処理システムは、請求項４記載の情報処理システムにおいて、前記情報処理端末は、種々の情報を表示可能な表示手段と、ユーザによる操作が行われる操作手段と、前記通信手段を介して、外部装置に対して種々の指示を送信する指示手段を備え、前記通知実行手段は、当該記録メディアの所有者であるか否かを確認する確認メッセージと、当該記録メディアの所有者であるか否かが入力される応答指示部と、を前記表示手段に表示し、前記通知先要求通知を行い、前記指示手段は、前記操作手段の操作により前記応答指示部に対して、当該記録メディアの所有者であることが入力された場合、前記記憶手段に格納されている識別情報を、前記通知先識別情報として当該記録メディアに書き込むことを指示する第１書込指示を、前記通信手段を介して前記外部装置に送信すると共に、前記外部装置は、前記記録メディアに所定の情報を書き込む書込手段と、前記第１書込指示を受信した場合に、前記通信先識別情報として、当該識別情報を当該記録メディアに書き込むように前記書込手段を制御する書込制御手段と、を備えることを特徴とする。
【００１３】
【００１４】
又、請求項６に係る情報処理システムは、請求項５記載の情報処理システムにおいて、前記通知制御手段は、前記確認メッセージ及び前記応答指示部が前記表示手段に表示されている場合に、前記外部装置から取得したメディア情報が通知先識別情報を含み、且つ、当該通知先情報が前記記憶手段に格納された識別情報と相違することを条件に、前記表示手段に表示されている確認メッセージ及び応答指示部の表示を消去するように前記通知実行手段を制御することを特徴とする。
【００１５】
そして、請求項７に係る情報処理システムは、請求項５又は請求項６記載の情報処理システムにおいて、前記通知制御手段は、前記操作手段の操作により、前記応答指示部に対して、当該記録メディアの所有者であることが入力された場合、前記表示手段に前記選択画面を表示するように、前記通知実行手段を制御することを特徴とする。
【００１６】
又、請求項８に係る情報処理システムは、請求項７記載の情報処理システムにおいて、前記情報処理端末は、前記選択画面に対するユーザの操作に基づいて、前記選択画面に表示された処理内容から、記録メディアに格納されているデータを対象として実行する処理内容を特定する処理内容特定手段と、を備え、前記指示手段は、前記処理内容特定手段により特定された処理内容を示す処理内容指定情報を当該記録メディアに書き込むことを指示する第２書込指示を、前記通信手段を介して前記外部装置に送信すると共に、前記書込制御手段は、前記第２書込指示を受信した場合に、前記メディア情報として、前記処理内容指定情報を当該記録メディアに書き込むように前記書込手段を制御することを特徴とする。
【００１７】
又、請求項９に係る情報処理端末は、種々のデータを記録可能な記録メディアが装着される装着部を備える外部装置との間で、データの送受信を行う通信手段と、当該情報処理端末固有の識別情報を格納する記憶手段と、前記装着部に対する前記記録メディアの装着状況を示すステータス情報と、前記装着部に装着された記録メディアに関する情報の通知先を示す通知先識別情報とを含み得るメディア情報を、前記外部装置に対して繰り返して要求する情報要求手段と、前記情報要求手段の要求に伴って、前記外部装置から出力されたメディア情報を取得した場合に、当該メディア情報に含まれる前記ステータス情報に基づいて、前記装着部に前記記録メディアが装着されているか否かを判定する装着状況判定手段と、前記情報要求手段の要求に伴って、前記外部装置から出力されたメディア情報を取得した場合に、当該メディア情報に含まれる前記通知先識別情報が、前記記憶手段に格納されている識別情報と一致するか否かを判定する判定手段と、前記装着状況判定手段により、前記装着部に前記記録メディアが装着されていると判定され、且つ、前記判定手段により、前記通知先識別情報と、前記記憶手段に格納されている識別情報が一致すると判定された場合にのみ、前記装着部に装着された記録メディアに関する通知を実行する通知実行手段と、を備えることを特徴とする。
【００１８】
そして、請求項１０に係る情報処理端末は、請求項９記載の情報処理端末において、種々の情報を表示可能な表示手段を備え、前記通知実行手段は、前記記録メディアに格納されているデータを対象として実行する処理を選択可能な選択画面を、前記表示手段に表示することを特徴とする。
【００１９】
又、請求項１１に係る情報処理端末は、請求項９又は請求項１０記載の情報処理端末において、前記外部装置から取得したメディア情報を保持する保持手段と、前記外部装置から新たに取得したメディア情報が、前記保持手段に保持されている最新のメディア情報と相違するか否かを判断する判断手段と、前記判断手段により、前記外部装置から新たに取得したメディア情報が前記保持手段に保持されている最新のメディア情報と相違する場合にのみ、前記装着部に装着された記録メディアに関する通知を実行するように、前記通知実行手段を制御する通知制御手段と、を備えることを特徴とする。
【００２０】
そして、請求項１２に係る情報処理端末は、請求項１１記載の情報処理端末において、前記通知制御手段は、前記判定手段により、前記通知先識別情報が前記メディア情報に含まれていないことを検出した場合、当該メディア情報に係る記録メディアに対する前記通知先識別情報の入力を要求する通知先要求通知を実行するように、前記通知実行手段を制御することを特徴とする。
【００２１】
又、請求項１３に係る情報処理端末の制御プログラムは、種々のデータを記録可能な記録メディアが装着される装着部を備える外部装置との間で、データの送受信を行う通信手段と、情報処理端末固有の識別情報を格納する記憶手段と、種々の通知を行い得る通知手段と、を備える情報処理端末の制御プログラムにおいて、前記装着部に対する前記記録メディアの装着状況を示すステータス情報と、前記装着部に装着された記録メディアに関する情報の通知先を示す通知先識別情報とを含み得るメディア情報を、前記外部装置に対して繰り返して要求する情報要求ステップと、前記要求に伴って、前記外部装置から出力されたメディア情報を取得した場合に、当該メディア情報に含まれる前記ステータス情報に基づいて、前記装着部に前記記録メディアが装着されているか否かを判定する装着状況判定ステップと、前記要求に伴って、前記外部装置から出力されたメディア情報を取得した場合に、当該メディア情報に含まれる前記通知先識別情報が、前記記憶手段に格納されている識別情報と一致するか否かを判定する判定ステップと、前記装着部に前記記録メディアが装着されていると判定され、且つ、前記通知先識別情報と、前記記憶手段に格納されている識別情報が一致すると判定された場合にのみ、前記装着部に装着された記録メディアに関する通知を実行する通知実行ステップと、を備えることを特徴とする。
【００２２】
そして、請求項１４に係る情報処理端末の制御プログラムは、請求項１３記載の情報処理端末の制御プログラムにおいて、前記通知先識別情報が前記メディア情報に含まれていないことを検出した場合、当該メディア情報に係る記録メディアに対する前記通知先識別情報の入力を要求する通知先要求通知を実行する入力要求ステップと、を備えることを特徴とする。
【発明の効果】
【００２３】
即ち、請求項１に係る情報処理システムは、装着部を備える外部装置と、複数の情報処理端末と、から構成される。情報処理端末は、メディア情報を、前記外部装置に対して繰り返して要求する。そして、当該情報処理端末は、外部装置から前記メディア情報を取得した場合に、当該メディア情報に含まれるステータス情報、通知先識別情報に基づいて、装着部に前記記録メディアが装着されているか否か、メディア情報に含まれる前記通知先識別情報が、前記記憶手段に格納されている識別情報と一致するか否かを判定する。前記装着部に前記記録メディアが装着されていると判定され、且つ、前記通知先識別情報と、前記記憶手段に格納されている識別情報が一致すると判定された場合にのみ、当該情報処理端末は、外部装置の装着部に装着された記録メディアの所有者であると特定し、その記録メディアに関する通知を行う。従って、情報処理システムを構成する複数の情報処理端末の内、通知先識別情報と識別情報が一致する情報処理端末のみが、記録メディアに関する通知を行う。この結果、当該記録メディアを使用するユーザは、当該情報処理端末を介して、確実に前記通知内容を把握し得る。又、通知先識別情報と識別情報が一致しない他の情報処理端末は、記録メディアに関する通知により、ユーザの作業を妨げることはない。従って、当該情報処理システムは、記録メディアに関する通知を適切に行い得る。又、前記情報処理端末は、定期的に前記外部装置からのメディア情報の取得を実行する。即ち、当該情報処理端末は、メディア情報の内容変更を定期的に監視し得る。この結果、メディア情報の内容変更があった時点で、当該情報処理端末は、ユーザの操作を介することなく、種々の対応を取り得る。
【００２４】
そして、請求項２に係る情報処理システムは、情報処理端末において、前記記録メディアに関する通知として、選択画面を表示する。この選択画面は、記録メディアに格納されているデータを対象として実行する処理を選択可能に表示する。この結果、ユーザは、記録メディアに格納されているデータに対する処理内容を、直ちに選択し得る。即ち、当該情報処理システムは、外部装置に装着された記録メディアのデータに対して、煩雑な操作を行うことなく、ユーザ所望の処理内容を実行可能とするという利便性を提供し得る。
【００２５】
又、請求項３に係る情報処理システムにおいて、情報処理端末は、保持手段に保持されている最新のメディア情報が、前記外部装置から新たに取得したメディア情報と相違するか否かを判断する。即ち、当該情報処理端末は、メディア情報の変更があったか否かを判断する。そして、メディア情報の変更があった場合、当該情報処理端末は、記録メディアに関する通知を行う。つまり、メディア情報が変更され、ユーザが当該変更を把握する必要が生じた場合に、当該情報処理システムは、前記通知を行う。この結果、当該情報処理システムは、必要性に応じた適切な時期に、記録メディアに関する通知を行い得る。又、当該情報処理システムは、同一内容を示す記録メディアに関する通知を繰り返し行うことを防止し得る。
【００２６】
そして、請求項４に係る情報処理システムにおいては、情報処理端末は、通知先識別情報がメディア情報に含まれていない場合、通知先要求通知を行う。つまり、記録メディアに関する通知の通知先を特定できない場合（即ち、記録メディアの所有者を特定できない場合）、情報処理システムを構成する全ての情報処理端末において、通知先要求通知が行われる。この結果、当該情報処理システムによれば、ユーザは、通知先要求通知により、記録メディアが外部装置に装着されていることを把握し得る。この結果、当該情報処理システムは、外部装置に記録メディアが装着されたまま放置された状態を防止し得る。又、通知先要求通知は、記録メディアに対する通知先識別情報の入力を要求する通知である。従って、当該情報処理システムによれば、ユーザは、通知先識別情報に基づき所有者を特定できない記憶メディアが外部装置に装着されていることを、情報処理端末近傍で把握することができる。
【００２７】
又、請求項５に係る情報処理システムにおいて、情報処理端末は、通知先要求通知として、確認メッセージと、応答指示部と、を表示手段に表示する。従って、ユーザは、確認メッセージ及び応答指示部に基づいて、操作手段を操作し得る。即ち、当該情報処理システムでは、ユーザは、通知先要求通知に対する適切な操作を行い得る。
そして、当該情報処理端末は、操作手段の操作によって、応答指示部に対して、当該記録メディアの所有者であることが入力されると、第１書込指示を外部装置に対して送信する。この第１書込指示に基づいて、外部装置は、装着部に装着されている記録メディアに対して、当該情報処理端末の識別情報を通知先識別情報として書き込む。これにより、この記録メディアを再度外部装置に装着した場合には、当該情報処理システムは、この情報処理端末のみに対して、記録メディアに関する通知を行う。つまり、当該情報処理システムは、記録メディアに関する通知を適切に行い得る。
【００２８】
【００２９】
又、請求項６に係る情報処理システムにおいては、確認メッセージ及び応答指示部が表示手段に表示されている場合、当該情報処理端末は、前記メディア情報が通知先識別情報を含み、且つ、当該通知先情報が当該情報処理端末の識別情報と相違することを条件に、確認メッセージ及び応答指示部の表示を消去する。即ち、情報処理システムを構成する他の情報処理端末が第１書込指示を送信し、当該他の情報処理端末に係る通知先識別情報が記録メディアに書き込まれた場合、当該情報処理端末は、確認メッセージ、応答指示部を消去する。この結果、装着部に装着された記録メディアに関する通知を必要としないユーザに係る情報処理端末では、確認メッセージ及び応答指示部は、ユーザが何等の操作を行うことなく、自動的に消去される。即ち、当該情報処理システムは、記録メディアに関連しないユーザに対して、確認メッセージ及び応答指示部に対する消去操作を要求することはない。従って、当該情報処理システムは、確認メッセージ及び応答指示部に対する操作によって、ユーザの作業を妨げることはない。
【００３０】
そして、請求項７に係る情報処理システムにおいては、情報処理端末は、操作手段の操作により、前記応答指示部に対して、当該記録メディアの所有者であることが入力された場合、前記表示手段に前記選択画面を表示する。当該情報処理システムによれば、ユーザは、通知先識別情報の書込指示の後、直ぐに、選択画面を介して所望の処理内容を選択し得る。この結果、当該情報システムは、記録メディアに格納されたデータの処理を望むユーザの作業効率を向上させ得る。
【００３１】
又、請求項８に係る情報処理システムにおいては、情報処理端末は、選択画面に表示された処理内容に対する選択操作に基づいて、第２書込指示を外部装置に送信する。そして、外部装置は、第２書込指示に基づいて、ユーザにより選択された処理内容を示す処理内容指定情報を、メディア情報として当該記録メディアに書き込む。従って、当該処理内容指定情報は、後に当該記録メディアが装着部に装着された場合に、メディア情報として情報処理端末に取得される。これにより、当該情報処理システムは、メディア情報として取得される処理内容指定情報に基づいて、処理内容指定情報に対応する処理を直ちに行うことができ、ユーザの作業負担を軽減し得る。
【００３２】
そして、請求項９に係る情報処理端末は、記録メディアが装着される装着部を備える外部装置と通信可能に接続される。情報処理端末は、メディア情報を、前記外部装置に対して繰り返して要求する。そして、当該情報処理端末は、外部装置から前記メディア情報を取得した場合に、当該メディア情報に含まれるステータス情報、通知先識別情報に基づいて、装着部に前記記録メディアが装着されているか否か、メディア情報に含まれる前記通知先識別情報が、前記記憶手段に格納されている識別情報と一致するか否かを判定する。前記装着部に前記記録メディアが装着されていると判定され、且つ、前記通知先識別情報と、前記記憶手段に格納されている識別情報が一致すると判定された場合にのみ、当該情報処理端末は、外部装置の装着部に装着された記録メディアの所有者であると特定し、その記録メディアに関する通知を行う。従って、一の外部装置に対して複数の情報処理端末が接続されている場合、前記複数の情報処理端末の内、通知先識別情報と識別情報が一致する情報処理端末のみが、記録メディアに関する通知を行う。この結果、当該記録メディアを使用するユーザは、当該情報処理端末を介して、確実に前記通知内容を把握し得る。又、通知先識別情報と識別情報が一致しない他の情報処理端末は、記録メディアに関する通知により、ユーザの作業を妨げることはない。従って、当該情報処理端末は、記録メディアに関する通知を適切に行い得る。又、前記情報処理端末は、定期的に前記外部装置からのメディア情報の取得を実行する。即ち、当該情報処理端末は、メディア情報の内容変更を定期的に監視し得る。この結果、メディア情報の内容変更があった時点で、当該情報処理端末は、ユーザの操作を介することなく、種々の対応を取り得る。
【００３３】
又、請求項１０に係る情報処理端末は、前記記録メディアに関する通知として、選択画面を表示する。この選択画面は、記録メディアに格納されているデータを対象として実行する処理を選択可能に表示する。この結果、ユーザは、記録メディアに格納されているデータに対する処理内容を、直ちに選択し得る。即ち、当該情報処理端末は、外部装置に装着された記録メディアのデータに対して、煩雑な操作を行うことなく、ユーザ所望の処理内容を実行可能とするという利便性を提供し得る。
【００３４】
そして、請求項１１に係る情報処理端末は、保持手段に保持されている最新のメディア情報が、前記外部装置から新たに取得したメディア情報と相違するか否かを判断する。即ち、当該情報処理端末は、メディア情報の変更があったか否かを判断する。そして、メディア情報の変更があった場合、当該情報処理端末は、記録メディアに関する通知を行う。つまり、メディア情報が変更され、ユーザが当該変更を把握する必要が生じた場合に、当該情報処理端末は、前記通知を行う。この結果、当該情報処理端末は、必要性に応じた適切な時期に、記録メディアに関する通知を行い得る。又、当該情報処理端末は、同一内容を示す記録メディアに関する通知を繰り返し行うことを防止し得る。
【００３５】
又、請求項１２に係る情報処理端末は、通知先識別情報がメディア情報に含まれていない場合、通知先要求通知を行う。例えば、一の外部装置に対して、複数の情報処理端末が接続されている状態において、記録メディアに関する通知の通知先を特定できない場合（即ち、記録メディアの所有者を特定できない場合）、当該外部装置に接続されている全ての情報処理端末は、夫々通知先要求通知を行う。この結果、当該情報処理端末によれば、ユーザは、通知先要求通知により、記録メディアが外部装置に装着されていることを把握し得る。この結果、当該情報処理端末は、外部装置に記録メディアが装着されたまま放置された状態を防止し得る。又、通知先要求通知は、記録メディアに対する通知先識別情報の入力を要求する通知である。従って、当該情報処理端末によれば、ユーザは、通知先識別情報に基づき所有者を特定できない記憶メディアが外部装置に装着されていることを、情報処理端末近傍で把握することができる。
【００３６】
更に、請求項１３に係る情報処理端末の制御プログラムは、記録メディアが装着される装着部を備える外部装置と通信可能な情報処理端末で実行されることにより、請求項９記載の情報処理端末と同様の効果を奏する。
【００３７】
そして、請求項１４に係る情報処理端末の制御プログラムは、記録メディアが装着される装着部を備える外部装置と通信可能な情報処理端末で実行されることで、請求項１２記載の情報処理端末と同様の効果を奏する。
【発明を実施するための最良の形態】
【００３８】
以下、本発明に係る情報処理システム、情報処理端末及び情報処理端末の制御プログラムを具体化した実施形態について、図面を参照しつつ詳細に説明する。図１は、本実施形態における情報処理システム１の構成に関する説明図である。
図１に示すように、本実施形態に係る情報処理システム１は、多機能周辺装置２００（「MFP（Multi Function Peripheral）」ともいう）と、複数の情報処理端末１００により構成されている。各情報処理端末１００は、夫々、ローカルエリアネットワーク通信網Ｎを介して、多機能周辺装置２００に接続されている。多機能周辺装置２００は、フォトメディアキャプチャ機能、プリンタ機能、コピー機能、スキャナ機能、ファクシミリ機能などの各種の機能を備えている。
【００３９】
先ず、本実施形態に係る情報処理システム１を構成する情報処理端末１００について、図面を参照しつつ詳細に説明する。図２は、本実施形態に係る情報処理システム１の内、主に情報処理端末１００の制御系を示すブロック図である。
【００４０】
図２に示すように、情報処理端末１００は、ＣＰＵ１０１と、ＲＯＭ１０２と、ＲＡＭ１０３と、ＨＤＤ１０４（Hard Disk Drive）と、を備えている。ＣＰＵ１０１、ＲＯＭ１０２、ＲＡＭ１０３、ＨＤＤ１０４は、情報処理端末１００に関する制御の中枢を担う。
【００４１】
ＣＰＵ１０１は、情報処理端末１００に関する制御を行う際に、各種制御プログラムを実行する中央演算処理装置である。ＲＯＭ１０２は、書換不能な記憶装置である。そして、ＲＯＭ１０２は、情報処理端末１００の制御を行う上で必要なデータ及び制御プログラムを記憶する。ＲＯＭ１０２に記憶されている制御プログラムは、上述したように、ＣＰＵ１０１により実行される。ＲＡＭ１０３は、ＣＰＵ１０１による制御プログラムの演算結果等を一時的に格納する。
【００４２】
ＨＤＤ１０４は、書換可能な不揮発性の記憶装置である。当該ＨＤＤ１０４は、ＯＳメモリ１０４Ａ、ユーザ識別情報メモリ１０４Ｂ、アプリケーションメモリ１０４Ｃを備えている。ＯＳメモリ１０４Ａには、情報処理端末１００の基本的な制御を行う基本ソフトウエアであるＯＳ（Operating System）が格納される。そして、ユーザ識別情報メモリ１０４Ｂには、当該情報処理端末１００を使用するユーザを示すユーザ識別情報が格納される。アプリケーションメモリ１０４Ｃには、情報処理端末１００で実行される各種アプリケーションプログラムが格納される。本実施形態においては、アプリケーションプログラムの一つとして、後述する記録メディア情報処理プログラム（図７参照）、ユーザ確認制御処理プログラム（図８参照）、指定処理内容選択処理プログラム（図１０参照）が、アプリケーションメモリ１０４Ｃに記憶されている。
【００４３】
又、情報処理端末１００は、上述したＣＰＵ１０１等に加え、ディスプレイ１０５と、操作部１０７と、通信インターフェイス１０６と、を備えている。ディスプレイ１０５は、各種情報を表示可能な表示装置である。本実施形態において、当該ディスプレイ１０５は、液晶ディスプレイにより構成されている。このディスプレイ１０５には、後述するユーザ確認表示ウィンドウ７０や指定処理内容一覧ウィンドウ８０が表示される。
【００４４】
そして、通信インターフェイス１０６は、当該情報処理端末１００とローカルエリアネットワーク通信網Ｎを接続するインターフェイスである。又、上述したように、情報処理システム１を構成する多機能周辺装置２００もローカルエリアネットワーク通信網Ｎに接続されている（図１等参照）。従って、情報処理端末１００は、ローカルエリアネットワーク通信網Ｎを介して、多機能周辺装置２００との間でデータの送受信を行い得る。
【００４５】
操作部１０７は、複数の入力キーを有するキーボードと、マウス等により構成される。この操作部１０７からの操作信号に基づいて、ＣＰＵ１０１は、操作信号に基づく制御を行う。本実施形態において、当該操作部１０７は、後述する記録メディア情報処理プログラム（図７参照）、ユーザ確認制御処理プログラム（図８参照）、指定処理内容選択処理プログラム（図１０参照）の実行時において、ユーザによって操作される。
【００４６】
続いて、情報処理システム１を構成する多機能周辺装置２００について、図面を参照しつつ詳細に説明する。図３は、本実施形態に係る情報処理システム１の内、主に多機能周辺装置２００の制御系を示すブロック図である。
【００４７】
図３に示すように、多機能周辺装置２００は、ＣＰＵ２０１と、ＲＯＭ２０２と、ＲＡＭ２０３と、フラッシュメモリ２０４と、を備えている。ＣＰＵ２０１、ＲＯＭ２０２、ＲＡＭ２０３、フラッシュメモリ２０４は、多機能周辺装置２００に関する制御の中枢を担う。
【００４８】
ＣＰＵ２０１は、多機能周辺装置２００に関する制御を行う際に、各種制御プログラムを実行する中央演算処理装置である。ＲＯＭ２０２は、書換不能な記憶装置である。そして、ＲＯＭ２０２は、多機能周辺装置２００の制御を行う上で必要なデータ及び制御プログラムを記憶する。ＲＯＭ２０２に記憶されている制御プログラムは、上述したように、ＣＰＵ２０１により実行される。本実施形態においては、ＲＯＭ２０２は、後述する記録メディア情報処理プログラム（図６参照）を記憶している。
【００４９】
そして、ＲＡＭ２０３は、ＣＰＵ２０１による制御プログラムの演算結果等を一時的に格納する。フラッシュメモリ２０４は、不揮発性の記憶装置である。当該フラッシュメモリ２０４は、データの書き込み及び読み出し可能に構成されている。このフラッシュメモリ２０４には、多機能周辺装置２００で実行可能な各機能に関する設定データ等が記憶される。
【００５０】
更に、図３に示すように、多機能周辺装置２００は、上述したＣＰＵ２０１等に加え、記録メディアスロット２０５と、通信インターフェイス２０６と、操作部２０７と、プリンタ部２０８と、スキャナ部２０９と、ファクシミリ部２１０と、を備えている。
【００５１】
記録メディアスロット２０５は、様々な方式の記録メディア５０を着脱自在に装着可能なスロットである。尚、記録メディア５０の構成については後述する。そして、当該記録メディアスロット２０５は、記録メディアリーダ及び記録メディアライタの機能を有する。従って、本実施形態に係る多機能周辺装置２００は、記録メディアスロット２０５に装着された記録メディア５０に格納されているデータの読み出しを行い得る。そして、多機能周辺装置２００は、記録メディアスロット２０５に装着された記録メディア５０に対して、ユーザ所望のデータを書き込み得る。
又、当該記録メディアスロット２０５は、記録メディア５０を検出するセンサ（不図示）を備える。このセンサの検出結果により、ＣＰＵ２０１は、記録メディアスロット２０５に記録メディア５０が装着されているか否かを判断し得る。
【００５２】
そして、通信インターフェイス２０６は、多機能周辺装置２００とローカルエリアネットワーク通信網Ｎを接続するインターフェイスである。上述したように、情報処理システム１を構成する各情報処理端末１００は、それぞれローカルエリアネットワーク通信網Ｎに接続されている（図１等参照）。従って、多機能周辺装置２００は、ローカルエリアネットワーク通信網Ｎを介して、情報処理システム１を構成する各情報処理端末１００との間で、データ及び信号の送受信を行い得る。
【００５３】
操作部２０７は、ユーザの各種操作が行われる操作手段である。当該操作部２０７は、複数の操作入力キーと、小型ディスプレイと、により構成される。当該複数の操作入力キーは、モード選択キー、テンキー、カーソルキー等を含む。モード選択キーは、コピー機能、スキャナ機能、ファクシミリ機能等の各種の機能を選択する際に入力操作される。テンキーは、数字や文字を入力する際に用いられる。例えば、当該テンキーは、ファクシミリ機能に基づくファクシミリ送信を行う際に、相手先ファクシミリ番号の入力に用いられる。そして、カーソルキーは、複数の選択肢からユーザ所望の選択肢を選択する際に用いられる。又、小型ディスプレイは、各機能に対する詳細設定を示す詳細設定画面（不図示）等を表示する。
【００５４】
そして、プリンタ部２０８は、ＣＰＵ２０１から制御信号に基づいて、所定の給紙位置（不図示）にセットされた記録用紙に対する印刷を行う。本実施形態において、当該プリンタ部２０８は、インクジェット方式のプリンタで構成される。プリンタ部２０８は、記録用紙を搬送する搬送用モータ（不図示）と、記録用紙へインクを吐出する印字ヘッド（不図示）と、その印字ヘッドを搭載したキャリッジ（不図示）を移動させるキャリッジモータ（不図示）と、を備える。
尚、当該プリンタ部２０８は、インクジェット方式のプリンタではなく、トナーを用いて記録用紙に印刷するレーザープリンタ等各種プリンタを採用し得る。
【００５５】
スキャナ部２０９は、ＣＰＵ２０１からの指示に基づいて、所定の読取位置（不図示）にセットされた原稿から画像の読み取り、原稿に基づく画像データを生成する。コピー機能が設定されている場合、当該多機能周辺装置２００は、スキャナ部２０９により生成された画像データを、プリンタ部２０８によって記録用紙に印刷する。又、ファクシミリ機能が設定されている場合、当該多機能周辺装置２００は、スキャナ部２０９により生成された画像データに基づいて、後述するファクシミリ部２１０により相手先装置（不図示）にファクシミリ送信を行う。
【００５６】
ファクシミリ部２１０は、電話回線（不図示）を介して画像データを送受信する。そして、当該ファクシミリ部２１０は、スキャナ部２０９により読み取られた画像データや、ローカルエリアネットワーク通信網Ｎを介して受信した画像データを符号化し、電話回線を介して所定の相手先に送信する。又、ファクシミリ部２１０は、電話回線を介して受信したデータを画像データに復号化し、プリンタ部２０８によって、当該画像データを記録用紙に印刷する。
【００５７】
次に、記録メディアスロット２０５に装着される記録メディア５０の構成について、図面を参照しつつ詳細に説明する。図４は、記録メディア５０の概略構成を示す説明図である。
記録メディア５０は、基本的にフラッシュメモリにより構成されている。このフラッシュメモリは、書換可能な記憶装置である。そして、当該フラッシュメモリは、電力供給がなくとも、記憶内容を保持する。従って、当該記録メディア５０は、データの持ち運び等が可能なリムーバブルメディアとして使用可能である。
【００５８】
そして、図４に示すように、記録メディア５０は、固有データ記憶エリア５１と、データ記憶エリア５２と、をフラッシュメモリ上に有している。固有データ記憶エリア５１は、記録メディア５０固有の情報が記憶される記憶エリアである。具体的には、当該固有データ記憶エリア５１は、後述するメディア種別情報、ユーザ識別情報、指定処理情報を記憶する。メディア種別情報、ユーザ識別情報、指定処理情報の詳細については、後に詳細に説明する。
一方、データ記憶エリア５２は、ユーザ所望の各種データ（例えば、文書データ、画像データ、動画データ、音声データ等）が記憶される記憶エリアである。即ち、データ記憶エリア５２は、記録メディア５０本来の用途に用いられる。
【００５９】
尚、記録メディア５０には、インターフェイスの相違等により種々のタイプが存在する。即ち、記録メディア５０には、ＵＳＢメモリやメモリカード（メーカ規格を問わない）が含まれる。そして、本実施形態においては、記録メディア５０のタイプの種別を便宜上「タイプＡ」「タイプＢ」…として示す。
【００６０】
ここで、本実施形態に係る情報処理システム１で用いられるメディア情報について、図面を参照しつつ詳細に説明する。図５は、本実施形態に係るメディア情報の構成に関する説明図である。
本実施形態に係る情報処理システム１は、各情報処理端末１００と、多機能周辺装置２００との間で、各制御処理プログラム（図６〜図８、図１０参照）に基づいて、当該メディア情報に関する処理を行う。そして、本実施形態にメディア情報は、記録メディアスロット２０５に装着された記録メディア５０に関する情報である。
【００６１】
図５に示すように、本実施形態に係るメディア情報は、ユーザ識別情報と、指定処理情報と、メディアステータス情報と、を含んでいる。ユーザ識別情報は、多機能周辺装置２００の記録メディアスロット２０５に装着された記録メディア５０の所有者及び当該所有者が使用する情報処理端末１００を示す情報である。このユーザ識別情報は、後述するユーザ確認制御処理（Ｓ１０６）で送信されるユーザ登録信号に基づいて、ユーザ識別情報書込処理（Ｓ８）で、記録メディア５０に書き込まれる。
【００６２】
そして、指定処理情報は、記録メディアスロット２０５に装着された記録メディア５０のデータ記憶エリア５２格納された各種データに対する処理内容を示す情報である。この指定処理情報は、後述する指定処理内容選択処理（Ｓ１１１）で送信される処理内容登録信号に基づいて、指定処理情報書込処理（Ｓ９）で、記録メディア５０に書き込まれる。
【００６３】
一方、メディアステータス情報は、記録メディアスロット２０５に装着された記録メディア５０の状態を示す情報である。このメディアステータス情報は、メディア種別情報と、メディア装着時刻情報と、により構成される。メディア種別情報は、記録メディアスロット２０５に装着されている記録メディア５０の種類を示す。従って、記録メディアスロット２０５に、「タイプＡ」の記録メディア５０が装着されている場合、当該メディア種別情報は、「メディア種別：タイプＡ」となる。そして、メディア装着時刻情報は、当該記録メディア５０が記録メディアスロット２０５に装着された時刻を示す情報である。メディア装着時刻情報は、例えば、「2007/01/23/10:54:24」のように記録メディア５０の装着時刻を示す。この装着時刻の情報は、多機能周辺装置２００から取得可能である。
【００６４】
尚、当該メディアステータス情報は、記録メディアスロット２０５に記録メディア５０が装着されていない状態も示す。この場合、メディア種別情報は、「メディア種別：NONE」となる。そして、メディア装着時刻情報は、「０」を示す。
【００６５】
次に、本実施形態に係る多機能周辺装置２００で実行される記録メディア情報処理プログラムについて、図面を参照しつつ詳細に説明する。図６は、多機能周辺装置２００で実行される記録メディア情報処理プログラムのフローチャートである。尚、この記録メディア情報処理プログラムは、多機能周辺装置２００の各機能を司るメイン制御プログラムに対して、並行処理として実行される。
【００６６】
記録メディア情報処理プログラムの実行を開始すると、ＣＰＵ２０１は、先ず、記録メディア装着状態が変更されたか否かを判断する（Ｓ１）。具体的には、ＣＰＵ２０１は、記録メディアスロット２０５のセンサからの検出信号に基づいて、Ｓ１の判断を行う。つまり、Ｓ１では、ＣＰＵ２０１は、記録メディアスロット２０５に対して、記録メディア５０が装着されたか否か、及び、記録メディアスロット２０５から記録メディア５０が外されたか否かを判断する。記録メディア装着状態が変更された場合（Ｓ１：ＹＥＳ）、ＣＰＵ２０１は、メディアステータス情報更新処理（Ｓ５）に処理を移行する。一方、記録メディア装着状態が変更されていない場合（Ｓ１：ＮＯ）、ＣＰＵ２０１は、Ｓ２に処理を移行する。
【００６７】
Ｓ２に移行すると、ＣＰＵ２０１は、メディア情報要求信号を受信したか否かを判断する。このメディア情報要求信号は、情報処理システム１を構成する情報処理端末１００から送信される信号である。具体的には、当該メディア情報要求信号は、後述する情報処理端末１００における記録メディア情報処理プログラムのＳ１において、多機能周辺装置２００に対して送信される。メディア情報要求信号を受信した場合（Ｓ２：ＹＥＳ）、ＣＰＵ２０１は、メディア情報生成処理（Ｓ６）に処理を移行する。一方、メディア情報要求信号を受信していない場合（Ｓ２：ＮＯ）、ＣＰＵ２０１は、Ｓ３に処理を移行する。
【００６８】
Ｓ３では、ＣＰＵ２０１は、ユーザ登録信号を受信したか否かを判断する。このユーザ登録信号は、情報処理システム１を構成する情報処理端末１００から送信される。具体的には、当該ユーザ登録信号は、後述するユーザ確認制御処理プログラムのＳ１２４において、多機能周辺装置２００に対して送信される。ユーザ登録信号を受信した場合（Ｓ３：ＹＥＳ）、ＣＰＵ２０１は、ユーザ識別情報書込処理（Ｓ８）に処理を移行する。一方、ユーザ登録信号を受信していない場合（Ｓ３：ＮＯ）、ＣＰＵ２０１は、Ｓ４に処理を移行する。
【００６９】
そして、Ｓ４においては、ＣＰＵ２０１は、処理内容登録信号を受信したか否かを判断する。この処理内容登録信号は、情報処理システム１を構成する情報処理端末１００から送信される。具体的には、処理内容登録信号は、後述する指定処理内容登録処理プログラムのＳ１３５において、多機能周辺装置２００に対して送信される。処理内容登録信号を受信した場合（Ｓ４：ＹＥＳ）、ＣＰＵ２０１は、指定処理情報書込処理（Ｓ９）に処理を移行する。一方、処理内容登録信号を受信していない場合（Ｓ４：ＮＯ）、ＣＰＵ２０１は、そのまま記録メディア情報処理プログラムを終了する。この場合、ＣＰＵ２０１は、再度、当該記録メディア情報処理プログラム（図６参照）の実行を開始する。
【００７０】
記録メディア装着状態の変更に伴い（Ｓ１：ＹＥＳ）、Ｓ５に移行すると、ＣＰＵ２０１は、メディアステータス情報更新処理を実行する。即ち、記録メディア装着状態に応じて、ＣＰＵ２０１は、メディアステータス情報を構成するメディア種別情報、メディア装着時刻情報を更新する。メディアステータス情報を更新した後、ＣＰＵ２０１は、記録メディア情報処理プログラムを終了する。
【００７１】
具体的にＳ５の処理内容を説明する。先ず、記録メディアスロット２０５に記録メディア５０が装着された場合、ＣＰＵ２０１は、新たに装着された記録メディア５０の固有データ記憶エリア５１からメディア種別情報を取得する。そして、ＣＰＵ２０１は、メディアステータス情報として、新たに取得したメディア種別情報（例えば、「メディア種別：タイプＡ」）をＲＡＭ２０３に格納する。又、ＣＰＵ２０１は、記録メディアスロット２０５に新たに装着された時刻に基づいて、メディア装着時刻情報（例えば、「メディア装着時刻：2007/01/23/10:54:24」）を生成する。そして、ＣＰＵ２０１は、メディアステータス情報として、生成したメディアステータス情報をＲＡＭ２０３に格納する。
【００７２】
一方、記録メディアスロット２０５から記録メディア５０が取り外された場合、ＣＰＵ２０１は、記録メディアスロット２０５に記録メディア５０が装着されていないことを示すメディア種別情報（例えば「メディア種別：NONE」）を生成する。又、このとき、ＣＰＵ２０１は、「メディア装着時刻：0」を示すメディア装着時刻情報を生成する。そして、ＣＰＵ２０１は、生成したメディア種別情報及びメディア装着時刻情報を、メディアステータス情報としてＲＡＭ２０３に格納する。
【００７３】
一方、メディア情報要求信号を受信し（Ｓ２：ＹＥＳ）、Ｓ６に移行すると、ＣＰＵ２０１は、メディア情報生成処理を実行する。メディア情報生成処理（Ｓ６）では、ＣＰＵ２０１は、メディア種別情報、メディア装着時刻情報、ユーザ識別情報、指定処理情報に基づいて、メディア情報を生成する。そして、生成したメディア情報をＲＡＭ２０３に格納すると、ＣＰＵ２０１は、メディア情報送信処理（Ｓ７）に処理を移行する。
【００７４】
具体的にメディア情報生成処理の処理内容を説明する。記録メディアスロット２０５に記録メディア５０が装着されている場合、ＣＰＵ２０１は、記録メディアスロット２０５に装着されている記録メディア５０に係るメディア種別情報、メディア装着時刻情報を生成し、当該記録メディア５０からユーザ識別情報、指定処理情報を取得する。尚、記録メディア５０にユーザ識別情報、指定処理情報が格納されていない場合、ＣＰＵ２０１は、記録メディア５０に格納されていないことを示すユーザ識別情報（例えば、「ユーザ識別情報：NONE」）と、指定処理情報（例えば、「指定処理情報：NONE」）とを生成する。そして、ＣＰＵ２０１は、メディア種別情報、メディア装着時刻情報、ユーザ識別情報、指定処理情報に基づくメディア情報をＲＡＭ２０３に格納する。
【００７５】
一方、記録メディアスロット２０５に記録メディア５０が装着されていない場合、ＣＰＵ２０１は、記録メディアスロット２０５に記録メディア５０が装着されていないことを示すメディア情報をＲＡＭ２０３に格納する。この場合のメディア情報は、「メディア種別情報：NONE」「メディア装着時刻情報：0」「ユーザ識別情報：NONE」「指定処理情報：NONE」を示すメディア種別情報、メディア装着時刻情報、ユーザ識別情報、指定処理情報により構成される。
【００７６】
そして、Ｓ７に移行すると、ＣＰＵ２０１は、メディア情報送信処理を実行する。このメディア情報送信処理（Ｓ７）においては、ＣＰＵ２０１は、メディア情報生成処理（Ｓ６）で生成したメディア情報をＲＡＭ２０３から読み出し、メディア情報要求信号を送信した情報処理端末１００に対して送信する。メディア情報を情報処理端末１００に送信した後、ＣＰＵ２０１は、記録メディア情報処理プログラムを終了する。
【００７７】
そして、ユーザ登録信号を受信した場合（Ｓ３：ＹＥＳ）に移行するＳ８では、ＣＰＵ２０１は、ユーザ識別情報書込処理を実行する。このユーザ識別情報書込処理（Ｓ８）では、ＣＰＵ２０１は、情報処理端末１００から送信されたユーザ登録信号に基づいて、記録メディアスロット２０５に装着されている記録メディア５０に、ユーザ識別情報を書き込む。記録メディア５０の固有データ記憶エリア５１に、ユーザ識別情報を書き込んだ後、ＣＰＵ２０１は、記録メディア情報処理プログラムを終了する。
【００７８】
尚、当該ユーザ登録信号は、当該ユーザ登録信号を送信したユーザを示すユーザ識別情報を含んでいる。即ち、ユーザ登録信号に含まれるユーザ識別情報は、当該情報処理端末１００のユーザ識別情報メモリ１０４Ｂに格納されているユーザ識別情報と同一内容を示す。
【００７９】
又、処理内容登録信号を受信した場合（Ｓ４：ＹＥＳ）に移行するＳ９では、ＣＰＵ２０１は、指定処理情報書込処理を実行する。この指定処理情報書込処理（Ｓ９）では、ＣＰＵ２０１は、処理内容登録信号に基づいて、記録メディアスロット２０５に装着されている記録メディア５０に指定処理情報を書き込む。当該記録メディア５０の固有データ記憶エリア５１に指定処理情報を書き込んだ後、ＣＰＵ２０１は、記録メディア情報処理プログラムを終了する。
【００８０】
又、当該処理内容登録信号には、情報処理端末１００の指定処理内容選択処理（Ｓ１１１）で選択指定された処理内容を示す情報が含まれる。従って、当該情報に基づいて、ＣＰＵ２０１は、ユーザが指定した処理内容を示す指定処理情報を、記録メディア５０の固有データ記憶エリア５１に書き込む。
【００８１】
続いて、本実施形態に係る情報処理端末１００で実行される記録メディア情報処理プログラムについて、図面を参照しつつ詳細に説明する。図７は、情報処理端末１００で実行される記録メディア情報処理プログラムのフローチャートである。尚、この記録メディア情報処理プログラムは、情報処理端末１００のOS及びその他のアプリケーションプログラムに対して、並行処理として実行される。
【００８２】
尚、当該記録メディア情報処理プログラムは、アプリケーションプログラムの一つであるステータスモニタプログラムの起動と共に、その実行が開始される。そして、当該記録メディア情報処理プログラムは、ステータスモニタプログラムが起動中であれば、繰り返し実行される。
【００８３】
情報処理端末１００における記録メディア情報処理プログラムの実行が開始されると、ＣＰＵ１０１は、先ず、多機能周辺装置２００に対してメディア情報要求信号を送信する（Ｓ１０１）。メディア情報要求信号を送信すると、ＣＰＵ１０１は、Ｓ１０２に処理を移行する。
【００８４】
Ｓ１０２に移行すると、ＣＰＵ１０１は、メディア情報受信処理を実行する。このメディア情報受信処理（Ｓ１０２）では、ＣＰＵ１０１は、メディア情報要求信号に基づいて、Ｓ７で多機能周辺装置２００から送信されたメディア情報を受信する。そして、受信したメディア情報をＲＡＭ１０３に格納すると、ＣＰＵ１０１は、Ｓ１０３に処理を移行する。 
【００８５】
Ｓ１０３においては、ＣＰＵ１０１は、多機能周辺装置２００に記録メディア５０が装着されているか否かを判断する。具体的に説明すると、ＣＰＵ１０１は、ＲＡＭ１０３に格納されているメディアステータス情報に基づいて、Ｓ１０３の判断を行う。尚、当該メディアステータス情報は、メディア情報受信処理（Ｓ１０２）で受信したメディア情報に含まれている。多機能周辺装置２００に記録メディア５０が装着されている場合（Ｓ１０３：ＹＥＳ）、ＣＰＵ１０１は、Ｓ１０４に処理を移行する。一方、多機能周辺装置２００に記録メディア５０が装着されていない場合（Ｓ１０３：ＮＯ）、ＣＰＵ１０１は、そのまま記録メディア情報処理プログラムを終了する。上述したように、ステータスモニタプログラムが起動中であれば、ＣＰＵ１０１は、直ぐに記録メディア情報処理プログラムの実行を再び開始する。
【００８６】
Ｓ１０４では、ＣＰＵ１０１は、記録メディアスロット２０５に装着されている記録メディア５０にユーザ識別情報が書き込まれているか否かを判断する。具体的には、ＣＰＵ１０１は、メディア情報受信処理（Ｓ１０２）で受信したメディア情報に含まれるユーザ識別情報が「NONE」であるか否かに基づいて判断する。記録メディア５０にユーザ識別情報が書き込まれている場合（Ｓ１０４：ＹＥＳ）、ＣＰＵ１０１は、Ｓ１０５に処理を移行する。この時、ＣＰＵ１０１は、ディスプレイ１０５に後述するユーザ確認表示ウィンドウ７０が表示されているか否かを確認する。そして、ディスプレイ１０５にユーザ確認表示ウィンドウ７０が表示されている場合、ＣＰＵ１０１は、ディスプレイ１０５におけるユーザ確認表示ウィンドウ７０の表示を消去する。一方、記録メディア５０にユーザ識別情報が書き込まれていない場合（Ｓ１０４：ＮＯ）、ＣＰＵ１０１は、ユーザ確認制御処理（Ｓ１０６）に処理を移行する。
【００８７】
Ｓ１０５では、ＣＰＵ１０１は、受信したメディア情報において、メディアステータス情報の内容が更新されているか否かを判断する。つまり、ＣＰＵ１０１は、Ｓ１０５の直前に行われたメディア情報受信処理（Ｓ１０２）で受信したメディアステータス情報と、更にその直前に受信したメディアステータス情報とを比較する。尚、この２つのメディアステータス情報は、ＲＡＭ１０３に格納されている。即ち、ＲＡＭ１０３は、少なくとも２回分のメディア情報を格納し、その記憶内容（即ち、メディア情報の内容）を保持する。メディアステータス情報の内容が更新されている場合（Ｓ１０５：ＹＥＳ）、ＣＰＵ１０１は、Ｓ１０７に処理を移行する。一方、メディアステータス情報の内容が変更されている場合（Ｓ１０５：ＮＯ）、ＣＰＵ１０１は、そのまま記録メディア情報処理プログラムを終了する。
【００８８】
Ｓ１０７に移行すると、ＣＰＵ１０１は、直前のメディア情報受信処理（Ｓ１０２）で受信したユーザ識別情報が、更にその直前のユーザ識別情報と一致するか否かを判断する。上述したように、ＲＡＭ１０３には、今回のメディア情報と、その直前のメディア情報が記憶されている。従って、ＣＰＵ１０１は、ＲＡＭ１０３を参照することで、Ｓ１０７の判断を行い得る。ユーザ識別情報が一致している場合（Ｓ１０７：ＹＥＳ）、ＣＰＵ１０１は、Ｓ１０８に処理を移行する。一方、ユーザ識別情報が相違する場合（Ｓ１０７：ＮＯ）、ＣＰＵ１０１は、そのままメディア情報処理プログラムを終了する。
【００８９】
そして、Ｓ１０８では、ＣＰＵ１０１は、多機能周辺装置２００に装着されている記録メディア５０に指定処理情報が書き込まれているか否かを判断する。即ち、ＣＰＵ１０１は、受信したメディア情報の指定処理情報が「NONE」であるか否かに基づいて、Ｓ１０８の判断を行う。指定処理情報が書き込まれている場合（Ｓ１０８：ＹＥＳ）、ＣＰＵ１０１は、指定処理内容実行処理（Ｓ１０９）に処理を移行する。一方、指定処理情報が書き込まれていない場合（Ｓ１０８：ＮＯ）、ＣＰＵ１０１は、指定処理内容選択処理（Ｓ１１１）に処理を移行する。 
【００９０】
Ｓ１０９に移行すると、ＣＰＵ１０１は、指定処理内容実行処理を実行する。この指定処理内容実行処理（Ｓ１０９）では、ＣＰＵ１０１は、先ず、後述する指定処理内容一覧ウィンドウ８０をディスプレイ１０５に表示する。そして、ディスプレイ１０５における指定処理内容一覧ウィンドウ８０の表示から一定期間（例えば、５秒間）経過すると、ＣＰＵ１０１は、自動的に当該指定処理内容一覧ウィンドウ８０の表示を消去する。指定処理内容一覧ウィンドウ８０を処理実行に先んじて所定期間表示することにより、ユーザは、指定処理内容実行処理（Ｓ１０９）で実行される処理の内容（即ち、指定処理情報に規定されている処理内容）を確認し得る。その後、ＣＰＵ１０１は、多機能周辺装置２００に装着されている記録メディア５０のデータ記憶エリア５２に格納されているデータに対して、指定処理情報に規定されている処理内容の処理（例えば、スライドショー表示処理や印刷処理等）を実行する。各処理に対する制御内容については、すでに公知であるため、その説明を省略する。指定処理内容実行処理を終了すると、ＣＰＵ１０１は、当該記録メディア情報処理プログラムを終了する。
【００９１】
尚、本実施形態においては、指定処理内容実行処理（Ｓ１０９）に際し、ディスプレイ１０５に指定処理内容一覧ウィンドウ８０を表示していたが、本発明をこの態様に限定するものではない。即ち、指定処理内容実行処理（Ｓ１０９）において、ディスプレイ１０５に指定処理内容一覧ウィンドウ８０を表示することなく、指定処理情報に基づく処理を実行するように構成することも可能である。
【００９２】
ここで、多機能周辺装置２００に装着された記録メディア５０にユーザ識別情報が書き込まれていない場合の処理について説明する。
上述したように、ユーザ識別情報が記録メディア５０に書き込まれていない場合（Ｓ１０４：ＮＯ）、ＣＰＵ１０１は、ユーザ確認制御処理（Ｓ１０６）を実行する。このユーザ確認制御処理（Ｓ１０６）では、ＣＰＵ１０１は、ユーザ確認制御処理プログラムを実行する。そして、ＣＰＵ１０１は、当該ユーザ確認制御処理プログラムに従って、多機能周辺装置２００に装着されている記録メディア５０に対するユーザ識別情報の登録に関する処理を実行する。このとき、ＣＰＵ１０１は、ディスプレイ１０５にユーザ確認表示ウィンドウ７０を表示する（図９参照）。ユーザ確認制御処理を終了すると、ＣＰＵ１０１は、Ｓ１１０に処理を移行する。尚、ユーザ確認制御処理については、後に詳細に説明する。
【００９３】
Ｓ１１０においては、ＣＰＵ１０１は、ユーザ確認表示ウィンドウ７０の選択肢「ＹＥＳ」に対する操作が行われたか否かを判断する。具体的には、ＣＰＵ１０１は、操作部１０７からの操作信号に基づいて、Ｓ１１０の判断を行う。ユーザ確認表示ウィンドウ７０の選択肢「ＹＥＳ」に対する操作が行われた場合（Ｓ１１０：ＹＥＳ）、ＣＰＵ１０１は、Ｓ１１１に処理を移行する。一方、ユーザ確認表示ウィンドウ７０の選択肢「ＹＥＳ」に対する操作が行われていない場合（Ｓ１１０：ＮＯ）、ＣＰＵ１０１は、そのまま記録メディア情報処理プログラムを終了する。尚、選択肢「ＹＥＳ」に対する操作が行われていない場合には、選択肢「ＮＯ」に対する選択操作が行われた場合に加え、何らの操作が行われなかった場合も含まれる。
【００９４】
続くＳ１１１においては、ＣＰＵ１０１は、指定処理内容選択処理を実行する。この指定処理内容選択処理（Ｓ１１１）では、ＣＰＵ１０１は、後述する指定処理内容選択処理プログラムを実行する。そして、ＣＰＵ１０１は、指定処理内容選択処理プログラムに従って、多機能周辺装置２００に装着されている記録メディア５０のデータ記憶エリア５２に格納されているデータに対する処理内容に関する処理を行う。具体的には、ＣＰＵ１０１は、ディスプレイ１０５に後述する指定処理内容一覧ウィンドウ８０を表示し、ユーザ所望の処理内容の選択を受け付ける。そして、ＣＰＵ１０１は、多機能周辺装置２００に装着されている記録メディア５０に対し、ユーザ所望の処理内容に係る指定処理情報を登録する処理を行う。指定処理内容選択処理（Ｓ１１１）を終了すると、ＣＰＵ１０１は、そのまま記録メディア情報処理プログラムを終了する。尚、当該指定処理内容選択処理（Ｓ１１１）については、後に図面を参照しつつ詳細に説明する。
【００９５】
又、上記指定処理内容選択処理（Ｓ１１１）は、ユーザ確認制御処理（Ｓ１０６）によりユーザ確認表示ウィンドウ７０の選択肢「ＹＥＳ」に対する操作が行われた場合（Ｓ１１０：ＹＥＳ）に加え、多機能周辺装置２００に装着された記録メディア５０に指定処理情報が書き込まれていない場合（Ｓ１０８：ＮＯ）も実行される。
【００９６】
続いて、情報処理端末１００で実行されるユーザ確認制御処理プログラムについて、図面を参照しつつ詳細に説明する。図８は、ユーザ確認制御処理プログラムのフローチャートである。
【００９７】
図８に示すように、ユーザ確認制御処理（Ｓ１０６）に移行すると、ＣＰＵ１０１は、先ず、ユーザ確認表示処理を実行する（Ｓ１２１）。このユーザ確認表示処理（Ｓ１２１）では、ＣＰＵ１０１は、図９に示すユーザ確認表示ウィンドウ７０をディスプレイ１０５に表示する。ディスプレイ１０５にユーザ確認表示ウィンドウ７０を表示した後、ＣＰＵ１０１は、Ｓ１２２に処理を移行する。
【００９８】
ここで、ユーザ確認表示ウィンドウ７０について、図面を参照しつつ説明する。図９に示すように、ユーザ確認表示ウィンドウ７０は、確認メッセージと、選択肢「ＹＥＳ」及び選択肢「ＮＯ」とを含んでいる。確認メッセージは、「多機能周辺装置２００に装着された記録メディア５０の所有者を問い合わせる旨」のメッセージである。そして、当該確認メッセージは、メディア情報受信処理（Ｓ１０２）で取得したメディア種別情報に基づいて生成される。即ち、当該確認メッセージは、多機能周辺装置２００に装着された記録メディア５０の種別（例えば、タイプＡ等）を特定した態様で表現される。又、選択肢「ＹＥＳ」は、当該情報処理端末１００のユーザが多機能周辺装置２００に装着されている記録メディア５０の所有者である場合に操作される。そして、選択肢「ＮＯ」は、当該情報処理端末１００のユーザが多機能周辺装置２００に装着されている記録メディア５０の所有者でない場合に操作される。
【００９９】
ユーザ確認表示処理（Ｓ１２１）の後、ＣＰＵ１０１は、前記選択肢「ＹＥＳ」に対する操作（以下、「ＹＥＳ」選択操作という）が行われたか否かを判断する（Ｓ１２２）。具体的には、ＣＰＵ１０１は、操作部１０７からの操作信号に基づいて、Ｓ１２２の判断を行う。「ＹＥＳ」選択操作が行われた場合（Ｓ１２２：ＹＥＳ）、ＣＰＵ１０１は、Ｓ１２３に処理を移行する。一方、「ＹＥＳ」選択操作が行われなかった場合（Ｓ１２２：ＮＯ）、ＣＰＵ１０１は、Ｓ１２５に処理を移行する。
【０１００】
「ＹＥＳ」選択操作が行われ、Ｓ１２３に移行すると、ＣＰＵ１０１は、先ず、ディスプレイ１０５上のユーザ確認表示ウィンドウ７０を消去する。その後、ＣＰＵ１０１は、ユーザによる「ＹＥＳ」選択操作に基づいて、ユーザ登録信号送信処理を実行する（Ｓ１２４）。ユーザ登録信号送信処理（Ｓ１２４）では、先ず、ＣＰＵ１０１は、ユーザ登録信号を生成し、当該ユーザ登録信号を多機能周辺装置２００に対して送信する。即ち、ＣＰＵ１０１は、ユーザ識別情報メモリ１０４Ｂに格納されているユーザ識別情報を読み出す。そして、ＣＰＵ１０１は、当該ユーザ識別情報を記録メディア５０の固有データ記憶エリア５１に、ユーザ識別情報として書き込む旨を指示する信号と、読み出したユーザ識別情報を組み合わせ、ユーザ登録信号を生成する。生成したユーザ登録信号を多機能周辺装置２００に送信すると、ＣＰＵ１０１は、そのままユーザ確認制御処理プログラムを終了する。 
【０１０１】
「ＹＥＳ」選択操作が行われなかった場合に移行するＳ１２５では、ＣＰＵ１０１は、前記選択肢「ＮＯ」に対する操作（以下、「ＮＯ」選択操作という）が行われたか否かを判断する。具体的には、ＣＰＵ１０１は、操作部１０７からの操作信号に基づいて、Ｓ１２５の判断を行う。「ＮＯ」選択操作が行われた場合（Ｓ１２５：ＹＥＳ）、ＣＰＵ１０１は、ディスプレイ１０５上のユーザ確認表示ウィンドウ７０の表示を消去する（Ｓ１２６）。ユーザ確認表示ウィンドウ７０の表示を消去した後、ＣＰＵ１０１は、そのままユーザ確認制御処理プログラムを終了する。一方、「ＮＯ」選択操作が行われなかった場合（Ｓ１２５：ＮＯ）、ＣＰＵ１０１は、そのままユーザ確認制御処理プログラムを終了する。つまり、ユーザ確認表示ウィンドウ７０に対して、何らの操作も行われなかった場合、ディスプレイ１０５は、ユーザ確認表示ウィンドウ７０を表示した状態を維持する。
【０１０２】
尚、情報処理システム１を構成する情報処理端末１００の何れかから、ユーザ登録信号が多機能周辺装置２００に送信されると、記録メディア５０には、当該情報処理端末１００に係るユーザ識別情報が書き込まれる。そうすると、当該記録メディア５０にユーザ識別情報が存在することになる（Ｓ１０４：ＹＥＳ）。この場合、他の情報処理端末１００において、当該他の情報処理端末１００のＣＰＵ１０１は、ディスプレイ１０５におけるユーザ確認表示ウィンドウ７０の表示を消去する（Ｓ１０４：ＹＥＳ）。即ち、情報処理システム１を構成する情報処理端末１００の何れかがユーザ登録信号を送信することで、他の情報処理端末１００におけるユーザ確認表示ウィンドウ７０の表示は消去される。
【０１０３】
次に、情報処理端末１００で実行される指定処理内容選択処理プログラムについて、図面を参照しつつ詳細に説明する。図１０は、指定処理内容選択処理プログラムのフローチャートである。
【０１０４】
図１０に示すように、指定処理内容選択処理（Ｓ１１１）に移行すると、ＣＰＵ１０１は、先ず、指定処理内容一覧表示処理を実行する（Ｓ１３１）。この選択処理内容一覧表示処理（Ｓ１３１）では、ＣＰＵ１０１は、図１１に示す指定処理内容一覧ウィンドウ８０をディスプレイ１０５に表示する。ディスプレイ１０５に指定処理内容一覧ウィンドウ８０を表示した後、ＣＰＵ１０１は、Ｓ１３２に処理を移行する。
【０１０５】
ここで、指定処理内容一覧ウィンドウ８０について、図面を参照しつつ説明する。図１１に示すように、指定処理内容一覧ウィンドウ８０は、指定処理内容一覧表示部と、選択肢表示部と、常時選択表示部８１と、により構成される。指定処理内容一覧表示部は、記録メディアスロット２０５に装着された記録メディア５０のデータ記憶エリア５２に格納されたデータに対して実行しうる処理内容を一覧表示する（図１１参照）。ユーザは、この指定処理内容一覧表示部に表示された処理内容（例えば、データ記憶エリア５２に格納されたデータのスライドショー表示や印刷等）から、所望の処理内容を選択しうる。そして、選択肢表示部は、指定処理内容一覧表示部に表示された処理内容からユーザ所望の処理内容の選択を確定する際に用いられる。更に、常時選択表示部８１は、選択肢表示に対する操作によって確定される処理内容を、当該記録メディア５０が装着された場合に常時実行する処理内容に設定する場合に用いられる。図１１に示すように、常時選択表示部８１は、所謂、チェックボックスを備えており、このチェックボックスにチェックを入力しておくことで、常時選択設定を有効化する。
【０１０６】
そして、Ｓ１３２に移行すると、ＣＰＵ１０１は、選択操作受付処理を実行する。この選択操作受付処理（Ｓ１３２）では、ＣＰＵ１０１は、操作部１０７からの操作信号に基づいて、指定処理内容一覧ウィンドウ８０における選択肢表示部及び選択表示部８１に対するユーザの操作を受け付ける。選択操作受付処理（Ｓ１３２）を終了すると、ＣＰＵ１０１は、Ｓ１３３に処理を移行する。 
【０１０７】
Ｓ１３３に移行すると、ＣＰＵ１０１は、選択処理内容実行処理を実行する。選択処理内容実行処理（Ｓ１３３）においては、ＣＰＵ１０１は、選択操作受付処理（Ｓ１３２）において、ユーザにより選択された処理内容に基づいて、当該記録メディア５０のデータ記憶エリア５２に格納されたデータに対する処理を実行する。例えば、選択操作受付処理（Ｓ１３２）で「印刷処理（即ち、図１１中における“画像を印刷する”）」が選択された場合、ＣＰＵ１０１は、記録メディアスロット２０５に装着された記録メディア５０のデータ記憶エリア５２に格納された画像データを印刷する。選択処理内容実行処理（Ｓ１３３）を終了すると、ＣＰＵ１０１は、Ｓ１３４に処理を移行する。
【０１０８】
そして、Ｓ１３４では、ＣＰＵ１０１は、選択操作受付処理（Ｓ１３２）で選択表示部８１に対する操作（以下、常時選択設定操作という）が行われたか否かを判断する。常時選択設定操作が行われた場合（Ｓ１３４：ＹＥＳ）、ＣＰＵ１０１は、Ｓ１３５に処理を移行する。一方、常時選択設定操作が行われていない場合（Ｓ１３４：ＮＯ）、ＣＰＵ１０１は、そのまま指定処理内容選択処理プログラムを終了する。
【０１０９】
Ｓ１３５に移行すると、ＣＰＵ１０１は、処理内容登録信号を多機能周辺装置２００に対して送信する。この処理内容登録信号は、選択操作受付処理（Ｓ１３２）で選択され、且つ、常時選択設定操作が行われた処理内容と、記録メディアスロット２０５に装着された記録メディア５０の固有データ記憶エリア５１に当該処理内容を指定処理情報として書き込む指示により構成される。処理内容登録信号を多機能周辺装置２００に送信した後、ＣＰＵ１０１は、指定処理内容選択処理プログラムを終了する。
【０１１０】
以上説明したように、本実施形態に係る情報処理システム１、情報処理端末１００及び情報処理端末１００の制御プログラムによれば、情報処理端末１００は、多機能周辺装置２００に装着された記録メディア５０に関するメディア情報にユーザ識別情報が含まれているか否かを検出する（Ｓ１０４）。そして、メディア情報に当該情報処理端末１００に係るユーザ識別情報が含まれている場合（Ｓ１０７：ＹＥＳ）、情報処理端末１００は、当該情報処理端末１００に係るユーザを記録メディア５０の所有者であると特定する。そして、当該情報処理端末１００は、当該記録メディア５０のデータ記憶エリア５２に格納されているデータに関する通知（例えば、指定処理内容一覧ウィンドウ８０の表示）を行う（Ｓ１０９、Ｓ１１１）。そして、メディア情報に含まれるユーザ識別情報と相違するユーザ識別情報を有する他の情報処理端末１００は、当該記録メディア５０に関する通知は行われない。従って、情報処理システム１、情報処理端末１００及び情報処理端末１００の制御プログラムは、通知を要する情報処理端末１００のみに対して通知を行うので、記録メディア５０に関する通知を適切に行い得る。
【０１１１】
又、当該情報処理システム１において、情報処理端末１００は、メディアステータス情報が更新されている場合に（Ｓ１０５：ＹＥＳ）、多機能周辺装置２００に装着されている記録メディア５０に関する通知を行う。つまり、多機能周辺装置２００における記録メディア５０の状態が変更され、当該変更をユーザが把握する必要が生じた場合に、記録メディア５０に関する通知が行われる。従って、当該情報処理システム１及び情報処理端末１００は、必要性に応じた適切な時期に、記録メディア５０に関する通知（例えば、指定処理内容一覧ウィンドウ８０の表示等）を行い得る。又、記録メディア５０の状態が同一である場合、情報処理端末１００は、当該通知を行うことはない。従って、当該情報処理システム１及び情報処理端末１００は、記録メディア５０に関する通知について、同一内容を繰り返し通知することを防止し得る。
【０１１２】
又、指定処理内容一覧ウィンドウ８０には、指定処理内容一覧表示部が表示される。当該指定処理内容一覧表示部は、多機能周辺装置２００に装着された記録メディア５０に格納されているデータに対して実行し得る処理内容の一覧を表示する。そして、ユーザは、操作部１０７を操作し、指定処理内容一覧表示部に表示された処理内容から所望の処理内容を選択し得る。この結果、情報処理システム１及び情報処理端末１００は、ユーザに対して、「煩雑な操作を行うことなく、当該データに対する所望の処理内容を実行できる」という利便性を提供し得る。そして、この指定処理内容一覧ウィンドウ８０に対する操作により、選択された処理内容で当該データに対する処理が実行されるので、ユーザは、当該データに関する迅速な処理結果を得ることができ、作業効率を向上し得る。
【０１１３】
そして、情報処理システム１において、情報処理端末１００は、記録メディア５０にユーザ識別情報が書き込まれていない場合（Ｓ１０４：ＮＯ）、ユーザ確認表示ウィンドウ７０を表示する（Ｓ１２１）。つまり、所有者を特定不能な記録メディア５０が多機能周辺装置２００に装着された場合、情報処理システム１を構成する各情報処理端末１００では、ユーザ確認表示ウィンドウ７０が表示される。従って、各情報処理端末１００のユーザは、ユーザ確認表示ウィンドウ７０により、記録メディアが外部装置に装着されていることを把握し得る。又、ユーザ確認表示ウィンドウ７０には、確認メッセージが含まれているので、ユーザは、ユーザを特定し得ない記録メディア５０が多機能周辺装置２００に装着されていることを、情報処理端末１００の操作中、或いは近くにいる状態で把握し得る。
【０１１４】
そして、当該情報処理システム１において、ユーザが操作部１０７を用いて、ユーザ確認表示ウィンドウ７０の選択肢「ＹＥＳ」の選択操作を行うことで（Ｓ１２２：ＹＥＳ）、多機能周辺装置２００に装着された記録メディア５０に対するユーザ識別情報の登録を行い得る（Ｓ１２４、Ｓ８）。従って、情報処理システム１及び情報処理端末１００は、こうしてユーザ識別情報を登録した記録メディア５０を再び多機能周辺装置２００に装着した場合には、当該ユーザに係る情報処理端末１００にのみ、当該記録メディア５０に対する通知を行うように構成し得る。この結果、当該情報処理システム１及び情報処理端末１００は、その後に当該記録メディア５０が多機能周辺装置２００に装着された場合において、記録メディア５０に関する通知を適切に行い得る。
【０１１５】
又、当該情報処理システム１及び情報処理端末１００によれば、情報処理端末１００は、ユーザ確認表示ウィンドウ７０がディスプレイ１０５に表示されている場合も含め、記録メディア情報処理プログラムを連続的且つ定期的に実行する。即ち、情報処理端末１００は、定期的に多機能周辺装置２００からメディア情報を取得する（Ｓ１０１、Ｓ１０２）。従って、ユーザは、メディア情報の内容変更があった時点で、記録メディア５０に関する通知を得ることができ、ユーザ確認表示ウィンドウ７０等の表示についても、ユーザが自ら操作することなく、種々の対応を取り得る。
【０１１６】
又、メディア情報に含まれるユーザ識別情報が当該情報処理端末１００に係るユーザ識別情報と相違する場合（Ｓ１０７：ＮＯ）、情報処理端末１００は、ユーザ確認制御処理（Ｓ１０６）を実行することはない。即ち、この場合には、ユーザ確認表示ウィンドウ７０がディスプレイ１０５に表示されることはなく、ユーザ確認表示ウィンドウ７０が表示されていた場合には、ユーザ確認表示ウィンドウ７０は消去される（Ｓ１０７：ＹＥＳ）。この結果、情報処理システム１を構成する或る情報処理端末１００に関するユーザ識別情報が記録メディア５０に登録された時点で、他の情報処理端末１００におけるユーザ確認表示ウィンドウ７０の表示は、ユーザの操作を介することなく、自動的に消去される。従って、当該情報処理システム１及び情報処理端末１００は、記録メディア５０と無関係なユーザに対して、ユーザ確認表示ウィンドウ７０に対する不要な操作を要求することがないため、当該ユーザの情報処理端末１００における作業を妨げることはない。この結果、当該情報処理システム１及び情報処理端末１００は、情報処理システム１全体における各ユーザの作業効率を向上し得る。 
【０１１７】
更に、情報処理システム１において、ディスプレイ１０５に表示された指定処理内容一覧ウィンドウ８０に対して、ユーザの常時選択設定操作が行われると、ユーザによって選択された処理内容に基づく指定処理情報が、記録メディア５０の固有データ記憶エリア５１に書き込まれる。そうすると、その後に、当該記録メディア５０が多機能周辺装置２００に装着された場合には、メディア情報として取得される指定処理情報に基づいて、当該記録メディア５０のデータに対する処理が実行される（Ｓ１０９）。つまり、この場合、当該情報処理システム１及び情報処理端末１００は、指定処理情報登録後において、ユーザの操作を介することなく、所望の処理内容を実行し得る。この結果、当該情報処理システム１及び情報処理端末１００は、この場合におけるユーザの作業負担を軽減し得る。
【０１１８】
以上、実施形態に基づき本発明を説明したが、本発明は上記実施形態に何ら限定されるものでなく、本発明の趣旨を逸脱しない範囲内で種々の改良変形が可能であることは容易に推察できるものである。
【０１１９】
例えば、情報処理システム１の構成は、上述した実施形態における態様に限定されるものではない。即ち、情報処理システムは、複数の情報処理端末１００と、複数の多機能周辺装置２００と、により構成することも可能である。更に、当該情報処理システムは、一の情報処理端末１００と、一の多機能周辺装置２００により構成することもできる。
【０１２０】
更に、情報処理システムは、複数の情報処理端末と、これらに接続された一の外部装置であればよい。即ち、情報処理システムを構成する外部装置は、本実施形態のような多機能周辺装置２００に限定されるものではない。例えば、当該情報システムを構成する外部装置は、プリンタ、ファクシミリ装置等、記録メディア５０を装着可能な装置であれば種々の装置を含む。
【図面の簡単な説明】
【０１２１】
【図１】情報処理システムの概略構成を示す説明図である。
【図２】情報処理システム及び情報処理端末の制御系を示すブロック図である。
【図３】情報処理システム及び多機能周辺装置の制御系を示すブロック図である。
【図４】記録メディアの構成を示す説明図である。
【図５】メディア情報の構成に関する説明図である。
【図６】多機能周辺装置における記録メディア情報処理プログラムのフローチャートである。
【図７】情報処理端末における記録メディア情報処理プログラムのフローチャートである。
【図８】ユーザ確認制御処理プログラムのフローチャートである。
【図９】ユーザ確認表示ウィンドウの表示例を示す説明図である。
【図１０】指定処理内容選択処理プログラムのフローチャートである。
【図１１】指定処理内容一覧ウィンドウの表示例を示す説明図である。
【符号の説明】
【０１２２】
１        情報処理システム
５０      記録メディア
７０      ユーザ確認表示ウィンドウ
８０      指定処理内容一覧ウィンドウ
１００    情報処理端末
１０１    ＣＰＵ
１０２    ＲＯＭ
１０３    ＲＡＭ 
１０４    ＨＤＤ
１０４Ｂ  ユーザ識別情報メモリ
１０５    ディスプレイ
１０６    通信インターフェイス
１０７    操作部
２００    多機能周辺装置
２０１    ＣＰＵ
２０２    ＲＯＭ
２０３    ＲＡＭ
２０５    記録メディアスロット
２０６    通信インターフェイス
【図１】
0004609503.tif 000002
【図２】
0004609503.tif 000003
【図３】
0004609503.tif 000004
【図４】
0004609503.tif 000005
【図５】
0004609503.tif 000006
【図６】
0004609503.tif 000007
【図７】
0004609503.tif 000008
【図８】
0004609503.tif 000009
【図９】
0004609503.tif 000010
【図１０】
0004609503.tif 000011
【図１１】
0004609503.tif 000012